(57)【特許請求の範囲】
【請求項１】
タッチスクリーン装置である第１のディスプレイと、タッチスクリーン装置である拡張ディスプレイとを接続可能な情報処理装置であって、
前記第１のディスプレイ及び前記拡張ディスプレイに対するタッチイベントを検出するタッチイベント検出手段と、
前記タッチイベント検出手段で検出されたタッチイベントに対して、当該タッチイベントが前記拡張ディスプレイに対するものである場合には、所定のタッチイベントを無効にするフィルタリング処理を行うフィルタリング手段と、
前記フィルタリング手段でフィルタリング処理されたタッチイベントに応じた処理を行う処理手段と、
を備えたことを特徴とする情報処理装置。
【請求項２】
前記フィルタリング手段は、前記拡張ディスプレイで操作対象となっているアプリケーション毎に、無効にするタッチイベントを決定することを特徴とする請求項１に記載の情報処理装置。
【請求項３】
前記フィルタリング手段は、前記アプリケーションがリンク情報を含む表示を行うアプリケーションの場合には、フリックイベント以外のタッチイベントを無効とすることを特徴とする請求項２に記載の情報処理装置。
【請求項４】
前記フィルタリング手段は、前記アプリケーションがファイル管理を行うアプリケーションである場合には、ホールドイベントを無効とすることを特徴とする請求項２に記載の情報処理装置。  
【請求項５】
タッチスクリーン装置である第１のディスプレイと、タッチスクリーン装置である拡張ディスプレイとを接続可能な情報処理装置のタッチイベント処理方法であって、
前記第１のディスプレイ及び前記拡張ディスプレイに対するタッチイベントを検出するタッチイベント検出工程と、
前記タッチイベント検出工程で検出されたタッチイベントに対して、当該タッチイベントが前記拡張ディスプレイに対するものである場合には、所定のタッチイベントを無効にするフィルタリング処理を行うフィルタリング工程と、
前記フィルタリング工程でフィルタリング処理されたタッチイベントに応じた処理を行う処理工程と、
を含むことを特徴とする情報処理装置のタッチイベント処理方法。
【請求項６】
タッチスクリーン装置である第１のディスプレイと、タッチスクリーン装置である拡張ディスプレイとを接続可能な情報処理装置に搭載されるプログラムであって、
前記第１のディスプレイ及び前記拡張ディスプレイに対するタッチイベントを検出するタッチイベント検出工程と、
前記タッチイベント検出工程で検出されたタッチイベントに対して、当該タッチイベントが前記拡張ディスプレイに対するものである場合には、所定のタッチイベントを無効にするフィルタリング処理を行うフィルタリング工程と、
前記フィルタリング工程でフィルタリング処理されたタッチイベントに応じた処理を行う処理工程と、
をコンピュータに実行させることを特徴とするコンピュータが実行可能なプログラム。
【発明の詳細な説明】
【技術分野】
【０００１】
本発明は、情報処理装置、そのタッチイベント処理方法、及びコンピュータが実行可能なプログラムに関する。
【背景技術】
【０００２】
近時、タッチスクリーン（「タッチパネル」とも言う）型のディスプレイが普及している。例えば、ノート型ＰＣでは、本体側筐体とタッチスクリーンを搭載した表示側筐体とを備えたものもある。ユーザは、本体側筐体のキーボードやタッチパッドによる入力操作と表示側筐体のタッチスクリーンによる入力操作が可能となっている。ユーザがかかるノート型ＰＣを操作している場合に、自分で意図せずにタッチスクリーンに触れて予期せぬ操作が行われてしまったり、他人がタッチスクリーンに触れてユーザの予期せぬ操作が行われてしまうことがある。同様の問題は、デスクトップ型ＰＣをタッチスクリーン型のディスプレイに接続して使用する場合にも発生する。かかる原因は、タッチスクリーンの場合は、キーボードに比較して誤ってちょっと触れてしまっても入力操作が行われてしまうことに起因する。
【０００３】
他方、１台のコンピュータに２台以上のモニタを接続し、あたかも１台の大きなモニタであるかのように表示させることができる「マルチモニタシステム（拡張デスクトップ）」と呼ばれる機能がある。例えば、プレゼンテーションの提供者が複数のモニタを使用してプレゼンテーションを行っている場合に、被提供者に提示しているタッチスクリーン型のディスプレイのタッチスクリーンに対して、被提供者が提供者にとって好ましくない又は意図しない操作を行ってしまう可能性がある。
【先行技術文献】
【特許文献】
【０００４】
【特許文献１】特開２０１３−１１７８５８号公報
【特許文献２】特開２００６−１３９６７９号公報
【発明の概要】
【発明が解決しようとする課題】
【０００５】
本発明は、上記に鑑みてなされたものであり、タッチスクリーン装置と接続可能な情報処理装置において、タッチスクリーン装置に対してユーザの意図しない操作が行われることを防止することが可能な情報処理装置を提供することを目的とする。
【課題を解決するための手段】
【０００６】
上述した課題を解決し、目的を達成するために、本発明は、タッチスクリーン装置と接続可能な情報処理装置であって、前記タッチスクリーン装置に対するタッチイベントを検出するタッチイベント検出手段と、前記タッチイベント検出手段で検出されたタッチイベントに対して所定のタッチイベントを無効にするフィルタリング処理を行うフィルタリング手段と、前記フィルタリング手段でフィルタリング処理されたタッチイベントに応じた処理を行う処理手段と、を備えたことを特徴とする。
【０００７】
また、本発明の好ましい態様によれば、前記フィルタリング手段は、前記タッチスクリーン装置で操作対象となっているアプリケーション毎に、無効にするタッチイベントを決定することが望ましい。
【０００８】
また、本発明の好ましい態様によれば、前記フィルタリング手段は、前記アプリケーションがリンク情報を含む表示を行うアプリケーションの場合には、フリックイベント以外のタッチイベントを無効とすることが望ましい。
【０００９】
また、本発明の好ましい態様によれば、前記フィルタリング手段は、前記アプリケーションがファイル管理を行うアプリケーションである場合には、ホールドイベントを無効とすることが望ましい。
【００１０】
また、本発明の好ましい態様によれば、前記タッチスクリーン装置は拡張ディスプレイであることが望ましい。
【００１１】
また、上述した課題を解決し、目的を達成するために、本発明は、タッチスクリーン装置と接続可能な情報処理装置のタッチイベント処理方法であって、前記タッチスクリーン装置の表示画面に対するタッチイベントを検出するタッチイベント検出工程と、前記タッチイベント検出工程で検出されたタッチイベントに対して所定のタッチイベントを無効にするフィルタリング処理を行うフィルタリング工程と、前記フィルタリング工程でフィルタリング処理されたタッチイベントに応じた処理を行う処理工程と、を含むことが望ましい。
【００１２】
また、上述した課題を解決し、目的を達成するために、本発明は、タッチスクリーン装置と接続可能な情報処理装置に搭載されるプログラムであって、前記タッチスクリーン装置の表示画面に対するタッチイベントを検出するタッチイベント検出工程と、前記タッチイベント検出工程で検出されたタッチイベントに対して所定のタッチイベントを無効にするフィルタリング処理を行うフィルタリング工程と、前記フィルタリング工程でフィルタリング処理されたタッチイベントに応じた処理を行う処理工程と、をコンピュータに実行させることを特徴とする。
【発明の効果】
【００１３】
本発明によれば、タッチスクリーン装置と接続可能な情報処理装置において、タッチスクリーン装置に対してユーザの意図しない操作が行われることを防止することが可能な情報処理装置を提供することが可能になるという効果を奏する。
【図面の簡単な説明】
【００１４】
【図１】図１は、図１は、本実施の形態に係る情報処理装置の概念図である。
【図２】図２は、本実施の形態に係る情報処理装置を適用したマルチモニタシステムの外観構成例を示す図である。
【図３】図３は、図２のノート型ＰＣのブロック構成例を示す図である。
【図４】図４は、マルチモニタシステムのタッチイベントの処理に関する機能構成を示す模式図である。
【図５】図５は、図４のノート型ＰＣによるタッチイベントに対するフィルタリング処理の一例を説明するためのフローチャートである。
【図６】図６は、第２のタッチスクリーン装置の表示画面の表示例１を説明するための図である。
【図７】図７は、図６は、第２のタッチスクリーン装置の表示画面の表示例２を説明するための図である。
【図８】図８は、実施例２に係るノート型ＰＣのブロック構成例を示す図である。
【図９】図９は、実施例２に係るノート型ＰＣのタッチイベントの処理に関する機能構成を示す模式図である。
【図１０】図１０は、実施例２に係わるノート型ＰＣによるタッチイベントに対するフィルタリング処理の一例を説明するためのフローチャートである。
【発明を実施するための形態】
【００１５】
以下に、本実施の形態にかかる情報処理装置、そのタッチイベント処理方法、及びコンピュータが実行可能なプログラムを適用したコンピュータシステムの実施の形態について、図面を参照しつつ詳細に説明する。なお、この実施の形態によりこの発明が限定されるものではない。また、下記実施の形態における構成要素には、当業者が容易に想定できるもの又は実質的に同一のものが含まれる。本発明の構成要素は、本明細書の図面に一般に示してあるが、様々な構成で広く多様に配置し設計してもよいことは容易に理解できる。したがって、本発明の装置、方法、及びプログラムの実施の形態についての以下のより詳細な説明は、特許請求の範囲に示す本発明の範囲を限定するものではなく、単に本発明の選択した実施の形態の一例を示すものであって、本明細書の特許請求の範囲に示す本発明と矛盾無く装置、システム及び方法についての選択した実施の形態を単に示すものである。当業者は、特定の細目の１つ以上が無くても、又は他の方法、部品、モジュール、材料でも本発明を実現できることが理解できる。
【００１６】
（実施の形態）
図１は、本実施の形態に係る情報処理装置の概念図である。図１に示すように、情報処理装置１は、タッチイベント検出手段２と、フィルタリング手段３と、処理手段４とを備えている。タッチスクリーン装置７は、表示部と当該表示部上に配置されたタッチセンサとを備え、タッチ操作が可能となっている。表示部は、例えば、ＬＣＤや有機ＥＬディスプレイ等とすることができる。タッチセンサは、例えば、静電容量式、抵抗膜方式、光学方式等を使用することができる。情報処理装置１は、タッチスクリーン装置７と接続可能に構成されている。
【００１７】
タッチスクリーン装置７は、１又は複数の装置とすることができ、例えば、ノート型ＰＣに搭載されているタッチスクリーン、デスクトップＰＣに接続されているタッチスクリーン、マルチモニタとして機能するタッチスクリーン（拡張ディスプレイ）等とすることができる。
【００１８】
タッチイベント検出手段２は、タッチスクリーン装置７のタッチセンサに対するユーザのタッチイベントを検出し、検出したタッチイベントをフィルタリング手段３に出力する。タッチイベントとしては、例えば、タップ（Ｔａｐ）、ホールド（Ｈｏｌｄ）、スワイプ（Ｓｗｉｐｅ）、ピンチ（Ｐｉｎｃｈ）、ローテート（Ｒｏｔａｔｅ）、フリック（Ｆｌｉｃｋ）等がある。
【００１９】
フィルタリング手段３は、タッチイベント検出手段２で検出されたタッチイベントに対して、所定のタッチイベントを無効にするフィルタリング処理を行って、処理手段４に出力する。すなわち、フィルタリング手段３は、タッチイベント検出手段２で検出された所定のタッチイベントを無効とし、当該所定のタッチイベント以外のタッチイベントを処理手段４に出力する。処理手段４は、フィルタリング手段でフィルタリング処理されたタッチイベントに応じた処理を行う。
【００２０】
情報処理装置１の各手段は、ソフトウェア、ハードウェア、又はその組み合わせで実現することができ、ＯＳやデバイス・ドライバがその機能の一部又は全部を担当してもよい。  
【００２１】
また、フィルタリング手段３は、タッチスクリーン装置７で操作対象となっているアプリケーション毎に、キャンセルするタッチイベントを決定することにしてもよい。例えば、アプリケーションがリンク情報を含む表示を行うアプリケーション（例えば、ブラウザ（ex.「Internet Explorer(IE)」、「Safari」、「GoogleChrome」、「Firefox」等）の場合には、フリック以外のタッチイベントを無効とすることにしてもよい。これにより、タッチスクリーン装置７上でスクロール操作だけが可能となり、リンク情報へのアクセス等ができなくなる。また、例えば、アプリケーションがファイル管理を行うアプリケーション（例えば、エクスプローラ）である場合には、ホールドイベントを無効とすることにしてもよい。これにより、ファイルの移動が不可能となり、ファイルを開く等の操作は可能となる。
【００２２】
以上説明したように、本実施の形態によれば、タッチスクリーン装置７と接続可能な情報処理装置１において、タッチスクリーン装置７に対するタッチイベントを検出するタッチイベント検出手段２と、タッチイベント検出手段２で検出されたタッチイベントに対して所定のタッチイベントを無効とするフィルタリング処理を行うフィルタリング手段３と、フィルタリング処理手段３でフィルタリング処理されたタッチイベントに応じた処理を行う処理手段４と、を備えているので、タッチスクリーン装置に対してユーザの意図しない操作が行われることを防止することが可能となる。
【００２３】
また、フィルタリング手段３は、タッチスクリーン装置７で操作対象となっているアプリケーション毎に、無効にするタッチイベントを決定することとしたので、アプリケーション毎に、ユーザの意図しない操作を決定することができる。
【００２４】
また、フィルタリング手段３は、前記アプリケーションがリンク情報を含む表示を行うアプリケーションの場合には、フリックイベント以外のタッチイベントを無効とすることとしたので、リンク情報へのアクセスができなくなり、ユーザの意図しないリンク先へのアクセスを防止できる。
【００２５】
また、フィルタリング手段３は、アプリケーションがファイル管理を行うアプリケーションである場合には、ホールドイベントを無効とすることとしたので、ファイル等の移動操作ができなくなり、ファイルがどこに移動してしまったかが分からなくなることを防止できる。
【００２６】
また、タッチスクリーン装置７は拡張ディスプレイであることとしたので、マルチモニタ環境でタッチスクリーン装置に対してユーザの意図しない操作が行われることを防止することが可能となる。
【００２７】
（実施例１）
図２は、本実施の形態に係る情報処理装置を適用したマルチモニタシステムの外観構成例を示す図である。図２に示すように、マルチモニタシステム１０は、第１のタッチスクリーン装置Ｍ１を備え、マルチモニタ機能（拡張デスクトップ機能）を有するノート型ＰＣ２０と、ノート型ＰＣ２０に接続されている第２のタッチスクリーン装置Ｍ２（拡張ディスプレイ）とで構成されている。マルチモニタシステム１０は、例えば、プレゼンテーションで使用され、プレゼンテーションの提供者は、ノート型ＰＣ２０を使用して、プレゼンテーションを提示する被提供者に対して、第２のタッチスクリーン装置Ｍ２に画像を提示してプレゼンテーションを行うことができる。
【００２８】
ノート型ＰＣ２０は、第２のタッチスクリーン装置Ｍ２でタッチイベントが発生した場合に、所定のタッチイベントを無効とすることにより、第２のタッチスクリーン装置Ｍ２に対して、プレゼンテーションの被提供者により、プレゼンテーションの提供者の意図しない操作が行われることを防止する。
【００２９】
図３は、図２のノート型ＰＣ２０のブロック構成例を示す図である。図２に示すように、ノート型ＰＣ２０は、ＣＰＵ(Central  Processing  Unit)２２と、メモリ２３と、ＨＤＤ（Hard  Disk  Device）２４と、ＣＤ−ＲＯＭ(Compact  Disk-Read  Only  Memory)ドライブ２５と、グラフィクスチップ２６と、通信デバイス３７と、インターフェース３６とを備える。インターフェース３６には、マウス２１と、キーボード２７と、トラックポイント２８と、第１のタッチスクリーン装置Ｍ１と、第２のタッチスクリーンス装置Ｍ２等が接続される。
【００３０】
ＣＰＵ２２は、ＨＤＤ２４に格納されたＯＳ３１によりノート型ＰＣ２０全体の制御を行うとともに、ＨＤＤ２４に格納された各種のプログラムに基づいて処理を実行する機能を司る。メモリ２３は、ＲＯＭ、キャッシュメモリ、ＲＡＭ等で構成されており、ＢＩＯＳ（Basic  Input／Output  System：基本入出力システム）やデータ等を格納する領域と、ＣＰＵ２２の実行プログラムの読み込み領域として、実行プログラムの処理データを書き込む作業領域として利用される書き込み可能領域とを備えている。 
【００３１】
ＨＤＤ２４は、例えば、Ｗｉｎｄｏｗｓ（登録商標）、Ａｎｄｒｏｉｄｅ（登録商標）等のノート型ＰＣ２０全体の制御を行うためのＯＳ３１、フィルタリングプログラム（サービス）３２、ブラウザ３３，エクスプローラ３４，他のアプリケーション３５等を記憶する機能を有する。ＯＳ３１は、マルチモニタ機能（拡張デスクトップ機能）をサポートする。また、ＯＳ３１は、デバイス・ドライバの機能も含んでおり、第１及び第２のタッチスクリーン装置Ｍ１，Ｍ２の表示部の表示制御、マウス２１，キーボード２７，トラックポイント２８、第１及び第２のタッチスクリーン装置Ｍ１，Ｍ２のタッチセンサ等の入力デバイスの制御、カーソルの表示制御等を行う。フィルタリングプログラム（サービス）３２は、所定のタッチイベントを無効にするフィルタリング処理を行う。ブラウザ３３は、リンク情報を含む表示を行うためのアプリケーションであり、例えば、「Internet Explorer(IE)」、「Safari」、「GoogleChrome」、「Firefox」等である。エクスプローラ３４は、ファイル管理を行うためのアプリケーションである。ＨＤＤ２４に記憶するプログラムは、例えば、ＣＤ−ＲＯＭ２９からＣＤ−ＲＯＭドライブ２５を介してインストールすることができる。
【００３２】
トラックポイント２８は内蔵のポインティングデバイスであり、マウス２１は外付けのポインティングデバイスである。グラフィクスチップ２６は、ＣＰＵ２２の制御に従って、表示データを第１のタッチスクリーン装置Ｍ１や第２のタッチスクリーン装置Ｍ２に出力する。通信デバイス３７は、ネットワークを介してデータ通信を行うためのものである。
【００３３】
第１のタッチスクリーン装置Ｍ１は、表示部４２ｂと表示部４２ｂ上に配置されたタッチセンサ４２ａとで構成されるタッチスクリーン４２と、ファームウェア４１とを備えている。表示部４２ｂは、例えば、ＬＣＤや有機ＥＬディスプレイ等である。タッチセンサ４２ａは、例えば、静電容量方式のタッチセンサである。タッチセンサ４２ａは、表示部４２ｂの画面に表示される各種メニュー、アイコン、ボタン、およびキーボード等の画面オブジェクトを選択して入力操作を行ったり、テキストの入力操作や、スクロールやスワイプ等の画面操作を行うためのものである。ファームウェア４１は、表示部４２ｂ及びタッチセンサ４２ａの動作を制御する。ファームウェア４１は、ＣＰＵ２２の制御に従って、グラフィックスチップ２６から入力される表示データを表示部４２ｂに表示する。また、ファームウェア４１は、タッチセンサ４２ａに対するユーザのタッチ操作（座標入力）を検出してＣＰＵ２２に出力する。
【００３４】
第２のタッチスクリーン装置Ｍ２は、表示部５２ｂ及び表示部５２ｂ上に配置されたタッチセンサ５２aで構成されるタッチスクリーン５２と、ファームウェア５１とを備えている。ファームウェア５１は、表示部５２ｂ及びタッチセンサ５２ａの動作を制御する。ファームウェア５１は、ＣＰＵ２２の制御に従って、グラフィックスチップ２６から入力される表示データを表示部５２ｂに表示する。また、ファームウェア５１は、タッチセンサ５２ａに対するユーザのタッチ操作（座標入力）を検出してＣＰＵ２２に出力する。
【００３５】
図４は、上記マルチモニタシステム１０のタッチイベントの処理に関する機能構成を示す模式図である。図４において、ＨＤＤ２４にインストールされたＯＳ３１、フィルタリングプログラム３２（サービスプログラム）、ブラウザ３３，エクスプローラ３４，及び他のアプリケーション３５は、メモリ２３に読み込まれ、ＣＰＵ２１によって実行される。
【００３６】
ＯＳ３１は、ノート型ＰＣ２０の基本的な動作を制御しているものであり、各種資源を管理する。また、ＯＳ３１は、マルチタスク機能及びマルチウィンドウ機能を有し、アプリケーションの実行コンテキスト（あるアプリケーションが利用しているレジスタセットやメインメモリイメージ、ファイルハンドルなど）やＧＵＩの部品などのソフトウェア資源の管理も行うようになされている。   
【００３７】
ＯＳ３１は、マルチモニタの環境設定を行い、拡張デスクトップを実現する。ユーザは、ＯＳ３１の設定画面で、マルチモニタに使用するモニタの配置、解像度、及び使用態様等を設定可能となっている。
【００３８】
ＯＳ３１は、アプリケーションの指示等に従い、グラフィックチップ２６を介して、第１及び第２のタッチスクリーン装置Ｍ１，Ｍ２に表示データを出力する。
【００３９】
第１のタッチスクリーン装置Ｍ１のファームウェア４１は、グラフィックチップ２６から入力される表示データをタッチスクリーン４２に表示する。同様に、第２のタッチスクリーン装置Ｍ２のファームウェア５１は、グラフィックチップ２６から入力される表示データをタッチスクリーン５２に表示する。
【００４０】
ファームウェア４１は、グラフィックチップ２６から入力される表示データをタッチスクリーン４２に表示する。同様に、ファームウェア５１は、グラフィックチップ２６から入力される表示データをタッチスクリーン５２に表示する。
【００４１】
ファームウェア４１は、タッチスクリーン４２に対するユーザのタッチ操作（座標入力）を検出して、インターフェース３６（例えば、ＵＳＢ／Ｉ２Ｃ）を介してＯＳ３１に出力する。同様に、ファームウェア５１は、タッチスクリーン５２に対するユーザのタッチ操作（座標入力）を検出して、インターフェース３６を介してＯＳ３１に出力する。ユーザは、タッチスクリーン４２、５２に対して、タップ（Ｔａｐ）、ホールド（Ｈｏｌｄ）、スワイプ（Ｓｗｉｐｅ）、ピンチ（Ｐｉｎｃｈ）、ローテート（Ｒｏｔａｔｅ）、フリック（Ｆｌｉｃｋ）等の操作を行うことが可能となっている。
【００４２】
ＯＳ３１は、ファームウェア４１，５１からインターフェース３６を介して入力されるタッチ操作の内容を解析してタッチイベントを検出し、検出したタッチイベントをフィルタリングプログラム（サービス）３２に出力する。また、ＯＳ３１は、タッチ操作が行われたタッチスクリーン装置を識別するための識別情報についても併せてフィルタリングプログラム３２に出力する。
【００４３】
フィルタリングプログラム３２は、タッチイベントが発生したタッチスクリーン装置が拡張ディスプレイでない場合には、タッチイベントをそのまま操作対象となっているアプリケーションに出力する。フィルタリングプログラム３２は、タッチイベントが発生したタッチスクリーン装置が拡張ディスプレイである場合には、タッチイベントに対してフィルタリング処理を行った後、操作対象となっているアプリケーションに出力する。
【００４４】
フィルタリングプログラム３２は、アプリケーション毎に無効にするタッチイベントを登録している。例えば、ブラウザ３３の場合には、フリック以外のタッチイベント（タップ、ホールド、スワイプ、ピンチ、ローテート）を無効とするタッチイベントとして登録している。また、エクスプローラ３３である場合には、ホールドを無効とするタッチイベントとして登録している。他のアプリケーション３４は無効とするタッチイベントを登録していない。ここでは無効とするタッチイベントを登録することとしたが、逆に、許可するタッチイベントを登録しておき、許可するタッチイベント以外のタッチイベントを無効とすることにしてもよい。また、アプリケーション毎に無効とするタッチイベントをユーザにより操作画面等で設定可能な構成としてもよい。
【００４５】
フィルタリング処理では、フィルタリングプログラム３２は、操作対象となっているアプリケーションについて、ＯＳ３１から入力されるタッチイベントが無効にするタッチイベントとして登録されているか否かを判断する。フィルタリングプログラム３２は、無効にするタッチイベントとして登録されている場合には、当該タッチイベントを無効として操作対象となっているアプリケーションに出力しない。フィルタリングプログラム３２は、無効にするタッチイベントとして登録されていない場合には、当該タッチイベントを操作対象となっているアプリケーションに出力する。
【００４６】
ブラウザ３３，エクスプローラ３４，及び他のアプリケーション３５は、フィルタリングプログラム３２から入力されるタッチイベントに応じた処理を、ＯＳ３１を介して実行する。
【００４７】
図５は、上記ノート型ＰＣ２０によるタッチイベントに対するフィルタリング処理の一例を説明するためのフローチャートである。図５において、まず、ＯＳ３１は、タッチスクリーン装置に対してタッチ操作が行われると（ステップＳ１）、タッチ操作の内容を解析してタッチイベントを検出し、検出したタッチイベントをフィルタリングプログラム３２に出力する（ステップＳ２）。
【００４８】
フィルタリングプログラム３２は、タッチイベントが発生したタッチスクリーン装置は、拡張ディスプレイか否かを判断する（ステップＳ３）。タッチイベントが発生したデバイスが拡張ディスプレイでない場合には（ステップＳ３の「Ｎｏ」）、タッチイベントを操作対象のアプリケーションに出力する（ステップＳ８）。操作対象のアプリケーションは、ＯＳ３１を介して、タッチイベントに応じた処理を行う（ステップＳ９）。
【００４９】
他方、ステップＳ３において、タッチイベントが発生したタッチスクリーン装置が拡張ディスプレイである場合には（ステップＳ３の「Ｙｅｓ」）、フィルタリングプログラム３１は、操作対象のアプリケーションの種類を判断する（ステップＳ４）。
【００５０】
操作対象のアプリケーションがブラウザ３３である場合には、フィルタリングプログラム３２は、タッチイベントがタップ、ホールド、スワイプ、ピンチ、ローテートのいずれであるかを判断し（ステップＳ５）、タッチイベントがタップ、ホールド、スワイプ、ピンチ、ローテートのいずれかである場合には（ステップＳ５の「Ｙｅｓ」）、当該タッチイベントを無効とする（ステップＳ７）。タッチイベントがタップ、ホールド、スワイプ、ピンチ、ローテートのいずれでもない場合（すなわち、フリックである場合）には（ステップＳ５の「Ｎｏ」）、フィルタリングプログラム３２は、当該タッチイベントをブラウザ３３に出力する（ステップＳ８）。ブラウザ３３は、ＯＳ３１を介して、タッチイベントに応じた処理を行う（ステップＳ９）。
【００５１】
ステップＳ４において、操作対象のアプリケーションがエクスプローラ３４である場合には、フィルタリングプログラム３２は、タッチイベントがホールドであるかを判断する（ステップＳ６）。タッチイベントがホールドである場合には（ステップＳ６の「Ｙｅｓ」）、フィルタリングプログラム３２は、当該タッチイベントを無効とする（ステップＳ７）。タッチイベントがホールドでない場合には（ステップＳ６の「Ｎｏ」）、フィルタリングプログラム３２は、当該タッチイベントをエクスプローラ３４に出力する（ステップＳ８）。エクスプローラ３４は、ＯＳ３１を介して、タッチイベントに応じた処理を行う（ステップＳ９）。
【００５２】
ステップＳ４において、操作対象のアプリケーションが他のアプリケーション３５である場合には、フィルタリングプログラム３２は、当該タッチイベントを他のアプリケーション３５に出力する（ステップＳ８）。他のアプリケーション３５は、ＯＳ３１を介して、タッチイベントに応じた処理を行う（ステップＳ９）。
【００５３】
なお、上記ステップＳ３では、フィルタリングプログラム３２は、タッチイベントが発生したタッチスクリーン装置が拡張ディスプレイか否かを判断し、拡張ディスプレイでない場合には、タッチイベントを操作対象のアプリケーションに出力し、拡張ディスプレイである場合には、フィルタリング処理を行うこととしたが、ＯＳ３１は、タッチイベントが発生したタッチスクリーン装置が拡張ディスプレイでない場合にはタッチイベントを操作対象のアプリケーションにそのまま出力し、拡張ディスプレイである場合には、フィルタリングプログラム３２に出力することにしてもよい。
【００５４】
図６は、第２のタッチスクリーン装置（拡張ディスプレイ）Ｍ２の表示画面の表示例１を説明するための図である。例えば、第２のタッチスクリーン装置Ｍ２にブラウザ３３の画面１０１が表示されている場合に、リンク情報のリンク先へのアクセス（画面１０２）を禁止し、画面のスクロール（フリック）を許可する（画面１０３）。
【００５５】
図７は、第２のタッチスクリーン装置Ｍ２の表示画面の表示例２を説明するための図である。例えば、第２のタッチスクリーン装置Ｍ２にエクスプローラ３４の画面２０１が表示されている場合に、ファイルの移動（画面２０３）を禁止し、ファイルを開くのを許可する（画面２０２）。
【００５６】
（実施例２）
実施例１では、マルチモニタシステムの拡張ディスプレイに対するタッチイベントに対してフィルタリング処理を行うことにしたが、ノート型ＰＣ１０を単体で使用する場合に、ノート型ＰＣ１０の第１のタッチスクリーン装置Ｍ１に対するタッチイベントに対してフィルタリング処理を行うことにしてもよい。
【００５７】
図８は、実施例２に係るノート型ＰＣ２０のブロック構成例を示す図である。図８に示すノート型ＰＣ２０は、図３と異なる点は、第２のタッチスクリーン装置Ｍ２が接続されていない点である。図９は、実施例２に係るノート型ＰＣ２０のタッチイベントの処理に関する機能構成例を示す模式図である。図９において、図４と異なる点は、第２のタッチスクリーン装置Ｍ２が接続されておらず、フィルタリングプログラム３２が第１のタッチスクリーン装置Ｍ１で発生したタッチイベントに対してフィルタリング処理を行う点である。フィルタリング処理の内容は実施例１と同様である。
【００５８】
ファームウェア４１は、タッチスクリーン４２に対するユーザのタッチ操作（座標入力）を検出して、インターフェース３６を介してＯＳ３１に出力する。ＯＳ３１は、ファームウェア４１からインターフェース３６を介して入力されるタッチ操作の内容を解析してタッチイベントを検出し、検出したタッチイベントをフィルタリングプログラム３２に出力する。フィルタリングプログラム３２は、ＯＳ３１から入力されるタッチイベントに対してフィルタリング処理を行って、操作対象となっているアプリケーションに出力する。
【００５９】
図１０は、実施例２に係るノート型ＰＣ２０によるタッチイベントに対するフィルタリング処理の一例を説明するためのフローチャートである。図１０において、図５と異なる点は、図５のステップＳ３（フィルタリングプログラム３２が、タッチイベントの発生したタッチスクリーン装置が拡張ディスプレイか否かを判断する工程）を実行しない点である。それ以外の処理は、図５と同様である。
【００６０】
なお、上記実施例１，２では、フィルタリング処理を行うアプリケーションの一例として、ブラウザ３３やエクスプローラ３４について説明したが、本発明はこれに限られるものではなく、他の種類のアプリケーションに対してフィルタリグ処理を行うことにしてもよい。また、無効とするタッチイベントは上記実施例に限られるものではない。
【産業上の利用可能性】
【００６１】
本発明に係る情報処理装置、そのタッチイベント処理方法、及びコンピュータが実行可能なプログラムは、タッチスクリーン装置を使用する場合に有用である。
【符号の説明】
【００６２】
１  情報処理装置
２  タッチイベント検出手段
３  フィルタリング手段
４  処理手段
７  タッチスクリーン装置
１０  マルチモニタシステム
２０  ノート型ＰＣ
２１  マウス
２２  ＣＰＵ
２３  メモリ
２４  ＨＤＤ
２５  ＣＤ−ＲＯＭドライブ
２６  グラフィクスチップ
２７  キーボード
２８  トラックポイント
２９  ＣＤ−ＲＯＭ
３１  ＯＳ
３２  フィルタリングプログラム（サービス）
３３  ブラウザ
３４  エクスプローラ
３５  他のアプリケーション
３６  インターフェース
３７  通信デバイス
４１  ファームウェア
４２  タッチスクリーン
４２ａ  タッチセンサ
４２ｂ  表示部
５１  ファームウェア
５２  タッチスクリーン
５２ａ  タッチセンサ
５２ｂ  表示部
Ｍ１  第１のタッチスクリーン装置
Ｍ２  第２のタッチスクリーン装置
【図１】
0005992900.tif 000002
【図２】
0005992900.tif 000003
【図３】
0005992900.tif 000004
【図４】
0005992900.tif 000005
【図５】
0005992900.tif 000006
【図６】
0005992900.tif 000007
【図７】
0005992900.tif 000008
【図８】
0005992900.tif 000009
【図９】
0005992900.tif 000010
【図１０】
0005992900.tif 000011